(57)【要約】      （修正有）【課題】山菜採りや農作物の収穫の際に身体の前面に簡単に装着保持して、両手を自由に使用することができる収穫採取用袋を提供する。【解決手段】収穫採取用袋は、上辺が短く下辺が長い断面台形状の上端開口袋１と、該上端開口袋１の開口部左右端に金具取付輪２を形成し、該金具取付輪２に取り付ける着脱自在の瓢箪形金具３又は楕円形金具と、該瓢箪形金具３又は楕円形金具が係合する金具孔４が腰巾間隔で２個開口されると共に、一方端に掛止金具を固定し他方端に等間隔の掛止孔を形成して長さ調節できる身体に襷掛けされる長尺の帯状ベルト７とからなる。【選択図】図１
0003153376.tif 000002
【実用新案登録請求の範囲】
【請求項１】
上辺が短く下辺が長い断面台形状の上端開口袋と、該上端開口袋の開口部左右端に金具取付輪を形成し、該金具取付輪に取り付ける着脱自在の瓢箪形金具又は楕円形金具と、該瓢箪形金具又は楕円形金具が係合する金具孔が腰巾間隔で２個開口されると共に、一方端に掛止金具を固定し他方端に等間隔の掛止孔を形成して長さ調節できる身体に襷掛けされる長尺の帯状ベルトとからなることを特徴とする収穫採取用袋。
【考案の詳細な説明】
【技術分野】
【０００１】
本考案は、山菜採りや農作物の収穫の際に身体の前面に保持して使用する収穫採取用袋に関する。
【背景技術】
【０００２】
通常、山菜採りや農作物の収穫の際には腰を屈めて前屈姿勢で作業を行うため、収穫や採取した物を身体の前面に配した袋に入れるのは一番効率が良い。そのため、前掛けやエプロン等の最下端を片手で摘んで持ち上げて両左右開きの袋形状を形成し、もう一方の手で山菜や農作物を収穫、採取し、その袋形状の中に包み込むことが行われている。
【０００３】
従来、山菜を採取するために両手が自由となる特別に作られた山野エプロンが公知となっている（特許文献１を参照）。
この公知技術は、台生地と表生地とポケット生地、及び側生地の４枚縫製による山菜取り専用エプロンであり、肩掛けバンド及び胴バンドを着脱自在に設け、底部の開閉はファスナー留めとし、両手は自由になり、且つ採取した山菜は台生地と表生地との空間に入れられ、満杯になった時は、底部に設けたファスナーを開くことにより、一気に落下させることができる山野エプロンである。
【０００４】
また、山菜採りに使用されるリュックサックが公知となっている（特許文献２を参照）。
この公知技術は、リュックサック本体の上面開口部の上端縁を内下方に折り返して縫着し、開口周縁に所定幅の円筒袋部とした口紐通しを設け、該口紐通しの正面側及び背面側の中央表面に前記口紐通しに連通する口紐通し鳩目を形成すると共に、所定長さのロープ状口紐を前記リュックサック本体背面の背負いベルトの固定個所に設けた金属製結び金輪に締結し、前記口紐の先端を背面側の口紐通し鳩目に挿通し、夫々左右の口紐通し鳩目を通して左右別々に口紐が前記口紐通しの円筒袋部を通って、前記正面側の口紐通し鳩目から口紐の先端が引き出されてなるリュックサックである。
【先行技術文献】
【特許文献】
【０００５】
【特許文献１】実開平３−１１００９号公報
【特許文献２】実用新案登録第３１０５２０７号公報
【考案の概要】
【考案が解決しようとする課題】
【０００６】
本考案は、山菜採りや農作物の収穫の際に身体の前面に簡単に装着保持して、両手を自由に使用することができる収穫採取用袋を提供することを目的とする。
【課題を解決するための手段】
【０００７】
本考案の収穫採取用袋は、上辺が短く下辺が長い断面台形状の上端開口袋と、該上端開口袋の開口部左右端に金具取付輪を形成し、該金具取付輪に取り付ける着脱自在の瓢箪形金具又は楕円形金具と、該瓢箪形金具又は楕円形金具が係合する金具孔が腰巾間隔で２個開口されると共に、一方端に掛止金具を固定し他方端に等間隔の掛止孔を形成して長さ調節できる身体に襷掛けされる長尺の帯状ベルトとからなるものである。
【考案の効果】
【０００８】
本考案の収穫採取用袋は、上辺が短く下辺が長い断面台形状の上端開口袋と、該上端開口袋の開口部左右端に金具取付輪を形成し、該金具取付輪に取り付ける着脱自在の瓢箪形金具又は楕円形金具と、該瓢箪形金具又は楕円形金具が係合する金具孔が腰巾間隔で２個開口されると共に、一方端に掛止金具を固定し他方端に等間隔の掛止孔を形成して長さ調節できる身体に襷掛けされる長尺の帯状ベルトとからなるため、山菜採りや農作物の収穫の際に帯状ベルトを身体に襷掛けし、上端開口袋の金具取付輪に瓢箪形金具又は楕円形金具を取り付け、帯状ベルトの金具孔に前記瓢箪形金具又は楕円形金具を装着することにより、身体の前面に簡単に収穫採取用袋を装着保持できるので、両手を自由に使用することができる効果がある。
【図面の簡単な説明】
【０００９】
【図１】本考案の収穫採取用袋の使用状態を示す説明図である。
【図２】上端開口袋の斜視図である。
【図３】瓢箪形金具の斜視図である。
【図４】帯状ベルトの斜視図である。
【考案を実施するための形態】
【００１０】
本考案の収穫採取用袋の一実施例を添付図面に基づいて、以下に説明する。
図１に示すように、本考案の収穫採取用袋は、上辺が短く下辺が長い断面台形状の上端開口袋１と、該上端開口袋１の開口部左右端に金具取付輪２を形成し、該金具取付輪２に取り付ける着脱自在の瓢箪形金具３又は楕円形金具（図示省略）と、該瓢箪形金具３又は楕円形金具が係合する金具孔４が腰巾間隔で２個開口されると共に、一方端に掛止金具５を固定し他方端に等間隔の掛止孔６を形成して長さ調節できる身体に襷掛けされる長尺の帯状ベルト７とからなる。
図２に示すように、前記上端開口袋１は、繊維製布生地から成り、上辺が短く下辺が長い断面台形状となっており、上端開口部８の面積より下端底部９の面積が広くなっているので、収穫採取した農作物や山菜がこぼれ落ち難くなっている。
前記上端開口袋１の上端開口部８の左右端に円筒状となる金具取付輪２を繊維製布生地から形成し、前記上端開口部８の上辺に沿って縫着する。
【００１１】
図３に示すように、前記瓢箪形金具３又は楕円形金具は、金属製からなり、直線部分の掛止部１０が内側に傾動しかつバネ復帰可能に形成され、前記掛止部１０を内側に傾動させ、傾動動作により形成された鉤掛部１１を利用して前記金具取付輪２に前記瓢箪形金具３又は楕円形金具を挿通させ、前記掛止部１１を戻して前記金具取付輪２に前記瓢箪形金具３又は楕円形金具を掛止させることができる。
【００１２】
図４に示すように、前記帯状ベルト７は、繊維製布生地から成り、一方端に掛止金具５を固定し、他方端に等間隔の掛止孔６を形成して、前記掛止金具５に掛止孔６を形成した帯状ベルト７を通して前記掛止孔６に前記掛止金具５を挿通させることによりループ（輪）を形成し、前記掛止孔６の位置を変えることにより長さ調節できるものである。
さらに、前記帯状ベルト７の適宜位置に腰巾間隔で２個の金具孔４が形成され、該金具孔４を利用して前記上端開口袋１を身体の前面に保持するものである。すなわち、図１に示すように、前記帯状ベルト７のループ（輪）を襷掛け状に首後部から両肩に廻し腰後部へ掛け廻し、前記瓢箪形金具３又は楕円形金具をそれぞれの前記金具孔４に掛止させることにより、前記上端開口袋１を身体の前面に保持するものである。
【００１３】
次に、本考案の収穫採取用袋の操作動作を添付図面に基づいて、以下に説明する。
最初に、まず瓢箪形金具３又は楕円形金具を上端開口袋１の金具取付輪２にそれぞれ挿通させて前記上端開口袋１に前記瓢箪形金具３又は楕円形金具をそれぞれ取り付ける。さらに、前記瓢箪形金具３又は楕円形金具を帯状ベルト７の２個の金具４孔にそれぞれ掛止させる。
すなわち、前記瓢箪形金具３又は楕円形金具の掛止部１０の傾動動作により形成された鉤掛部１１を利用して前記金具取付輪２及び金具孔４に前記瓢箪形金具３又は楕円形金具を挿通させる。
次に、図１に示すように、前記帯状ベルト７のループ（輪）を首後部に掛け渡し、帯状ベルト７を前に出してから両肩前から後に廻し、さらに腰後部へ掛け廻し、襷掛け状にする。
そして、自分の身体に合わせて掛止孔６の位置を変えて掛止金具５を挿通させる。このようにして帯ベルト７のループ（輪）の長さ調節を行い、本考案の収穫採取用袋を身体の前面に装着させる。
なお、逆の手順で、前記帯状ベルト７のループ（輪）を襷掛け状にした後に、前記上端開口袋１の金具取付輪２に取付された前記瓢箪形金具３又は楕円形金具を前記帯状ベルト７の２個の金具孔４にそれぞれ掛止させ、本考案の収穫採取用袋を身体の前面に装着させても良い。
このようにして、山菜採りや農作物の収穫の際に帯状ベルトを身体に襷掛けし、上端開口袋１の金具取付輪２に瓢箪形金具３又は楕円形金具を取り付け、帯状ベルト７の金具孔４に前記瓢箪形金具３又は楕円形金具を装着することにより、身体の前面に簡単に収穫採取用袋を装着保持できるので、両手を自由に使用することができる。
【符号の説明】
【００１４】
１  上端開口袋
２  金具取付輪
３  瓢箪形金具
４  金具孔
５  掛止金具
６  掛止孔
７  帯状ベルト
８  上端開口部
９  下端底部
１０  掛止部
１１  鉤掛部
【図１】
0003153376.tif 000003
【図２】
0003153376.tif 000004
【図３】
0003153376.tif 000005
【図４】
0003153376.tif 000006